(57)【要約】【課題】手で直接食品に触れることなく、かつ、過度な力を込めることなく、食品を食べることができる包装容器を提供することを課題とする。【解決手段】底板と、前板と、後板と、左右の側板とからなる本体容器と、天板と、前板と、後板と、左右の側板とからなり、本体容器の開口部よりも開口部が一回り大きい蓋体とからなり、本体容器の後板上辺と蓋体の後板下辺は、ヒンジ折線を介して連結し、蓋体はヒンジ折線を基点に開閉可能である包装容器において、本体容器の一方の側板、底板、もう一方の側板に、本体容器の前方向部分を切除可能な連続した切目線が順次形成されており、蓋体の後板に、後板の全部又は一部と、蓋体のそれ以外の部分を切除可能な切目線が形成されていることを特徴とする包装容器とした。【選択図】図１
2013241193.tif 000002
【特許請求の範囲】
【請求項１】
底板と、前板と、後板と、左右の側板とからなる本体容器と、
天板と、前板と、後板と、左右の側板とからなり、本体容器の開口部よりも開口部が一回り大きい蓋体とからなり、
本体容器の後板上辺と蓋体の後板下辺は、ヒンジ折線を介して連結し、蓋体はヒンジ折線を基点に開閉可能である包装容器において、
本体容器の一方の側板、底板、もう一方の側板に、本体容器の前方向部分を切除可能な連続した切目線が順次形成されており、
蓋体の後板に、後板の全部又は一部と、蓋体のそれ以外の部分を切除可能な切目線が形成されていることを特徴とする包装容器。
【請求項２】
前記本体容器の左右の側板の上部に、本体容器の前方向に突出する２つの突起部と、
前記蓋体の前板の下部に、蓋体の左右方向に突出する２つの突起部とを備え、
前記蓋体を閉じた状態において、本体容器の突起部の下辺が蓋体の突起部の上辺に引っ掛かることを特徴とする請求項１記載の包装容器。
【請求項３】
前記蓋体の前板は、２つの突起部の上側に直線状の折線を備えていることを特徴とする請求項２記載の包装容器。
【請求項４】
前記本体容器の左右の側板の上辺は、下側に凸状の切欠部を有しており、本体容器の切目線は、切欠部の先端部分を端部としていることを特徴とする請求項１乃至３のいずれかに記載の包装容器。
【請求項５】
前記ヒンジ折線上に、部分的な切込部が形成されていることを特徴とする請求項１乃至４のいずれかに記載の包装容器。
【発明の詳細な説明】
【技術分野】
【０００１】
本発明は、包装容器に関するものである。特に、ハンバーガー等のファーストフード食品に適した包装容器に関するものである。
【背景技術】
【０００２】
従来から、ハンバーガー等のファーストフード食品には、本体容器と蓋体とがヒンジ部で連結している紙製の包装容器が使用されている。
【０００３】
ハンバーガー等のファーストフード食品は、このような包装容器から食品を直接手で掴んで取り出し、食べることが一般的であり、手が汚れている場合などは、不衛生であることが問題となっている。
【０００４】
そこで、例えば、特許文献１では、食品を直接手で掴むことなく、収容したままの状態で食べることができる包装容器が提案されている。
【０００５】
特許文献１の包装容器は、底板と蓋板の先端側を外側に反転若しくは切除可能とした包装容器であり、底板と蓋板の先端側を反転若しくは切除した後、後端側のヒンジ部で連結した底板と蓋板で食品を挟むことによって、手で直接食品に触れることなく、食品を食べることができる。
【先行技術文献】
【特許文献】
【０００６】
【特許文献１】特開２００３−７２７４９号公報
【発明の概要】
【発明が解決しようとする課題】
【０００７】
しかし、特許文献１の包装容器では、先端側を反転若しくは切除した場合であっても、後端側のヒンジ部で連結した底板と蓋板の間隔が反転若しくは切除する前と変化することはない。
【０００８】
仮に、ヒンジ部で連結した底板と蓋板で食品を挟んだとしても、当初から底板と蓋板の間に収納されていた食品は、当然、底板と蓋板の間隔内に収まる大きさであるあるため、底板と蓋板を軽く掴んだだけでは、食品自体をしっかりと掴むことができない。
【０００９】
包装容器内の食品をしっかり掴むためには、ヒンジ部で連結した底板と蓋板の間隔を狭めるように掴む必要があるため、食品を掴むことができる間隔まで容器を押し潰す必要がある。
【００１０】
つまり、特許文献１の包装容器では、包装容器が変形するまで力を入れなければ、しっかりと食品を掴むことができない。
【００１１】
そこで、手で直接食品に触れることなく、かつ、過度な力を込める必要なく、食品を食べることができる包装容器が求められている。
【００１２】
本発明にあっては、手で直接食品に触れることなく、かつ、過度な力を込めることなく、食品を食べることができる包装容器の提供を課題としている。
【課題を解決するための手段】
【００１３】
上記課題を解決するために請求項１にかかる発明としては、底板と、前板と、後板と、左右の側板とからなる本体容器と、天板と、前板と、後板と、左右の側板とからなり、本体容器の開口部よりも開口部が一回り大きい蓋体とからなり、本体容器の後板上辺と蓋体の後板下辺は、ヒンジ折線を介して連結し、蓋体はヒンジ折線を基点に開閉可能である包装容器において、本体容器の一方の側板、底板、もう一方の側板に、本体容器の前方向部分を切除可能な連続した切目線が順次形成されており、蓋体の後板に、後板の全部又は一部と、蓋体のそれ以外の部分を切除可能な切目線が形成されていることを特徴とする包装容器とした。
【００１４】
また、請求項２にかかる発明としては、前記本体容器の左右の側板の上部に、本体容器の前方向に突出する２つの突起部と、前記蓋体の前板の下部に、蓋体の左右方向に突出する２つの突起部とを備え、前記蓋体を閉じた状態において、本体容器の突起部の下辺が蓋体の突起部の上辺に引っ掛かることを特徴とする請求項１記載の包装容器とした。
【００１５】
また、請求項３にかかる発明としては、前記蓋体の前板は、２つの突起部の上側に直線状の折線を備えていることを特徴とする請求項２記載の包装容器とした。
【００１６】
また、請求項４にかかる発明としては、前記本体容器の左右の側板の上辺は、下側に凸状の切欠部を有しており、本体容器の切目線は、切欠部の先端部分を端部としていることを特徴とする請求項１乃至３のいずれかに記載の包装容器とした。
【００１７】
また、請求項５にかかる発明としては、前記ヒンジ折線上に、部分的な切込部が形成されていることを特徴とする請求項１乃至４のいずれかに記載の包装容器とした。
【発明の効果】
【００１８】
本発明の包装容器は、本体容器の一方の側板、底板、もう一方の側板に、本体容器の前方向部分を切除可能な連続した切目線が順次形成されており、蓋体の後板に、後板の全部又は一部と、蓋体のそれ以外の部分を切除可能な切目線が形成されている。
これにより、蓋体の後板の全部又は一部の領域がヒンジ折線を基点に可動自在となり、食品の大きさや軟らかさに合わせて蓋体の後板を倒すことができ、可動自在な蓋体の後板と本体容器の底板で食品を挟むことにより、手で直接食品に触れることなく、かつ、過度な力を込めることなく、食品を食べることができる。
【００１９】
また、本発明の包装容器は、本体容器の左右の側板の上部に、本体容器の前方向に突出する２つの突起部と、蓋体の前板の下部に、蓋体の左右方向に突出する２つの突起部とを備え、蓋体を閉じた状態において、本体容器の突起部の下辺が蓋体の突起部の上辺に引っ掛かる構造となっている。
これにより、閉じた状態の包装容器が、持ち運び時、また誤って落としてしまった時であって、容易に開封し、収容している食品が飛び出してしまうことがない。
【００２０】
また、本発明の包装容器は、蓋体の前板に形成される２つの突起部の上側に直線状の折線を備えている。
本体容器の突起部と蓋体の突起部が引っ掛かり、ロックされた状態で、蓋体の前板の下部を包装容器の前方向に引っ張ることで、蓋体の前板は直線状の折線を基点に折り曲がり、突起部の引っ掛かりを容易に外すことができる。
【００２１】
また、本発明の包装容器は、本体容器の左右の側板の上辺に、下側に凸状の切欠部を有しており、切欠部の先端部分から本体容器の前方向部分を切除可能な連続した切目線が形成されている。
切欠部の先端部分に切目線を配置することで、切欠部が切除開始部分を誘導し、切目線から外れた箇所から切除してしまうことを防止することができる。
【００２２】
また、本発明の包装容器は、ヒンジ折線上に、部分的な切込部が形成されていることにより、蓋体を開いた際、ヒンジ折線に加わる反撥力を弱めることができ、蓋体が勝手に閉じてしまうことを防止することができる。
【図面の簡単な説明】
【００２３】
【図１】図１は本発明の実施形態の一例を示す包装容器の展開図である。
【図２】図２は図１の実施形態の蓋体が閉じた状態の包装容器の斜視図である。
【図３】図３は図１の実施形態の蓋体を開いた状態の包装容器の斜視図である。
【図４】図４は図１の実施形態の蓋体と本体容器の切目線を切除した状態の包装容器の斜視図である。
【図５】図５は図４に示す形態の側面図である。
【図６】図６は図１の実施形態の蓋体を閉じた状態の包装容器の側面図である。
【図７】図７は図１の実施形態の蓋体の前板が折線を基点に折り曲がった状態の包装容器の側面図である。
【発明を実施するための形態】
【００２４】
図１〜図３を用いて、本発明の実施形態の一例について説明する。図１は本発明の実施形態の一例を示す包装容器の展開図である。図２は図１の実施形態の蓋体が閉じた状態の包装容器の斜視図である。図３は図１の実施形態の蓋体を開いた状態の包装容器の斜視図である。
【００２５】
図１〜図３に示す包装容器１は、本体容器２と蓋体３とがヒンジ折線４１を介して連結してなる。
【００２６】
本体容器２は、略四角形状の底板２１と、底板２１の一辺と罫線を介して連設した前板２２と、底板２１の前板２２と対向する一辺に罫線を介して連設した後板２３と、底板２１のその他の対向する二辺に罫線を介して連設した一対の側板２４とを備え、前板２２および後板２３の両側辺から罫線を介して連設した貼り付け片（符号なし）を、隣接する側板２４に貼り付けることでトレー状に形成してなるものである。
【００２７】
蓋体３は、略四角形状の天板３１と、天板３１の一辺と罫線を介して連設した前板３２と、天板３１の前板３２と対向する一辺に罫線を介して連設した後板３３と、天板３１のその他の対向する二辺に罫線を介して連設した一対の側板３４とを備え、後板３３の両側辺から罫線を介して連設した貼り付け片（符号なし）を、隣接する側板２４に貼り付け、かつ、一対の側板３４の前板３２側の側辺から罫線を介して連設した貼り付け片（符号なし）を、前板３２に貼り付けることでトレー状に形成してなるものである。
【００２８】
本体容器２と蓋体３とは、本体容器２の後板２３上辺と蓋体３の後板３３下辺において、ヒンジ折線４１を介して連結し、蓋体３はヒンジ折線４１を基点に開閉可能となる。
蓋体３の開口部３８は、本体容器２の開口部２８よりも一回り大きく、蓋体３が本体容器２に覆い被さる構造となっている。
【００２９】
なお、上記した本体容器２および蓋体３の形状は、略四角形状に限定する必要はなく、多角形状であってもよい。また、貼り付け片の連設する箇所も特に限定するものではない。
【００３０】
本体容器２の一方の側板２４、底板２１、もう一方の側板２４に、本体容器２の前方向部分を切除可能な連続した切目線２６が順次形成されている。
また、蓋体３の後板３３に、後板３３の全部又は一部と、蓋体３のそれ以外の部分を切除可能な切目線３６が形成されている。
【００３１】
図１〜３では、本体容器２の切目線２６は直線であり、蓋体３の切目線３６は円弧形状であるが、これは直線であっても曲線であってもよく、特に限定されるものではない。
また、切目線２６および切目線３６は、切込が貫通しているミシン目であっても、切込が貫通していない半切れ線であってもよく、切除することができれば、これらに限定するものではない。
【００３２】
図４は図１の実施形態の蓋体３の切目線３６と本体容器２の切目線２６を切除した状態の包装容器１の斜視図であるが、本発明の包装容器１は、蓋体３の切目線３６と本体容器２の切目線２６を切り離すことで、各々の前方向部分を切除可能となっている。
これにより、蓋体３の後板３３の全部又は一部の領域がヒンジ折線４１を基点に可動自在となり、トングのように収容した食品を挟むことができる。
【００３３】
蓋体３の後板３３は、食品の大きさや軟らかさに合わせて使用者が自在に倒すことができる。
蓋体３の後板３３と本体容器２の底板２１で食品を挟むことにより、手で直接食品に触れることなく食品を食べることができ、かつ、過度な力を込めることなく食品を保持することができる。
【００３４】
なお、図５は図４に示す形態の側面図である。図示したように、可動自在な蓋体３の後板３３と本体容器２の底板２１で食品４３を挟んだ際、食品４３がこぼれないように、底板２１の面積は大きい方が好ましく、また食品４３を目で確認しながら食べることができるよう、後板３３の面積は小さい方が好ましい。
【００３５】
また、本発明の包装容器１は、本体容器２の左右の側板２４の上部に、本体容器の前方向に突出する２つの突起部２５と、蓋体３の前板３２の下部に、蓋体３の左右方向に突出する２つの突起部３５とを備え、蓋体３を閉じた状態において、本体容器２の突起部２５の下辺が蓋体３の突起部３５の上辺に引っ掛かる構造となっている。
これにより、閉じた状態の包装容器１を、持ち運んでいる時や、誤って落としてしまった時であっても、それらの衝撃で包装容器１が開封し、収容している食品が飛び出してしまうことを防止することができる。
【００３６】
次に図６および図７を用いて本発明の包装容器１について説明する。図６は図１の実施形態の蓋体３を閉じた状態の包装容器１の側面図である。図７は図１の実施形態の蓋体３の前板３２が折線３７を基点に折り曲がった状態の包装容器１の側面図である。
【００３７】
本発明の包装容器１は、蓋体３の前板３２に形成される２つの突起部３５の上側に直線状の折線３７を備えている。
本体容器２の突起部２５と蓋体３の突起部３５が引っ掛かり、ロックされた状態で、蓋体３の前板３２の下部を包装容器１の前方向に引っ張ることで、蓋体３の前板３２は直線状の折線３７を基点に折り曲がり、突起部（２５、３５）の引っ掛かりを容易に外すことができる。
つまり、直線状の折線３７により、開封動作を容易に行うことが可能となる。
【００３８】
また、本発明の包装容器１は、本体容器２の左右の側板２４の上辺に、下側に凸状の切欠部２７を有しており、切欠部２７の先端部分から本体容器２の前方向部分を切除可能な連続した切目線２６が形成されている。
切欠部２７の先端部分に切目線２６を配置することで、切欠部２７が切除開始部分を誘導し、切目線２６から外れた箇所から切除してしまうことを防止することができる。
【００３９】
図に示すように、切欠部２７の先端部分は屈曲していることが特に好ましい。切除開始する際に、この屈曲した先端部分に力が加わるため、より切除開始部分の誘導に有効である。しかし、これに限定するものではなく、先端部形状が湾曲していてもよい。
【００４０】
また、本発明の包装容器１は、ヒンジ折線４１上に、部分的な切込部４２が形成されている。
蓋体３を開いた際、ヒンジ折線４１には元の形状に戻ろうとする反撥力が生じるため、蓋体３が勝手に閉じてしまうことがある。しかし、ヒンジ折線４１上に、部分的な切込部４２を設けることで、その反撥力を弱めることができ、蓋体３が勝手に閉じてしまうことを防止することができる。
【００４１】
図では、ヒンジ折線４１の中央部に１つの切込部４２が形成されているが、切込部４２は中央でなくてもよく、複数あってもよい。
【００４２】
また、本発明の包装容器の材料としては、主に紙を用いるものであるが、特に紙材料に限定するものではない。
【符号の説明】
【００４３】
１・・・包装容器
２・・・本体容器
３・・・蓋体
２１・・・底板
２２・・・前板
２３・・・後板
２４・・・側板
２５・・・突起部
２６・・・切目線
２７・・・切欠部
２８・・・開口部
３１・・・天板
３２・・・前板
３３・・・後板
３４・・・側板
３５・・・突起部
３６・・・切目線
３７・・・折線
３８・・・開口部
４１・・・ヒンジ折線
４２・・・切込部
４３・・・食品
【図１】
2013241193.tif 000003
【図２】
2013241193.tif 000004
【図３】
2013241193.tif 000005
【図４】
2013241193.tif 000006
【図５】
2013241193.tif 000007
【図６】
2013241193.tif 000008
【図７】
2013241193.tif 000009